(57)【特許請求の範囲】
【請求項１】
左前身頃と左後身頃からなる左身頃と、右前身頃と右後身頃からなる右身頃とを備え、前記左身頃と右身頃の上端に着用者の左足と右足を挿入可能な穿き口が形成される下衣において、前記左身頃と右身頃はそれぞれ、前記左前身頃または右前身頃に位置し、前記穿き口から膝部を回避しつつ裾口まで延びる第１縫合線によって縫合される１枚の生地片からなると共に、前記第１縫合線は、前記穿き口から延びて左腿回り線または右腿回り線を通過した後、内股側に傾斜しながら大腿部の前面と脛部を回避しつつ前記裾口まで延びるように形成されることを特徴とする下衣。
【請求項２】
前記左前身頃と右前身頃に前開きを設けたことを特徴とする請求項１記載の下衣。
【発明の詳細な説明】
【技術分野】
【０００１】
この発明は下衣、より詳しくは左前身頃と左後身頃からなる左身頃と、右前身頃と右後身頃からなる右身頃とを備えたズボン、パンツなどの下衣に関する。
【背景技術】
【０００２】
下衣は一般的に左前身頃、左後身頃、右前身頃および右後身頃を構成する４つの生地片を縫合することで形成される。このため、左前身頃と左後身頃の縫合線および右前身頃と右後身頃の縫合線は着用者が下衣を着用したときに着用者の内股部と脚脇部に位置する。
【０００３】
しかしながら、縫合線には縫い代が形成され、その縫い代は下衣の内側（裏側）で着用者の肌（皮膚）に直接接触するため、内股部などのように肌の柔らかい部分に縫合線があると、縫合線の縫い代によって肌ストレス（縫い代との接触による痒み、痛み、炎症等）を受けやすくなる。
【０００４】
そこで、従来より縫い代を肌に接触させないようにした技術が提案されている（例えば特許文献１）。特許文献１記載の技術は縫合線の縫い代を被服の外側に配置すると共に、外側に露出した縫い代をライン形成用テープ地で被覆するものである。
【先行技術文献】
【特許文献】
【０００５】
【特許文献１】特開２００１−３１６９２５号公報
【発明の概要】
【発明が解決しようとする課題】
【０００６】
しかしながら、特許文献１記載の技術のように、縫い代を被服の外側に配置し、それをライン形成用テープ地で覆うようにすると、縫い代が肌に接触することで生じる肌ストレスは減少するものの、被服を構成する部材や製作工数が増加するという不都合が生じる。
【０００７】
従って、この発明の目的は上記した課題を解決し、簡易な構成でありながら、縫い代などが肌に接触することで生じる肌ストレスを低減させると共に、着用感を向上させるようにした下衣を提供することにある。
【課題を解決するための手段】
【０００８】
上記の目的を達成するために請求項１にあっては、左前身頃と左後身頃からなる左身頃と、右前身頃と右後身頃からなる右身頃とを備え、前記左身頃と右身頃の上端に着用者の左足と右足を挿入可能な穿き口が形成される下衣において、前記左身頃と右身頃はそれぞれ、前記左前身頃または右前身頃に位置し、前記穿き口から膝部を回避しつつ裾口まで延びる第１縫合線によって縫合される１枚の生地片からなると共に、前記第１縫合線は、前記穿き口から延びて左腿回り線または右腿回り線を通過した後、内股側に傾斜しながら大腿部の前面と脛部を回避しつつ前記裾口まで延びるように形成されるように構成した。
【００１３】
請求項２に係る下衣にあっては、前記左前身頃と右前身頃に前開きを設けるように構成した。
【発明の効果】
【００１４】
請求項１に係る下衣にあっては、左身頃と右身頃はそれぞれ、左前身頃または右前身頃に位置し、穿き口から膝部を回避しつつ裾口まで延びる第１縫合線によって縫合される１枚の生地片からなると共に、第１縫合線は、穿き口から延びて左腿回り線または右腿回り線を通過した後、内股側に傾斜しながら大腿部の前面と脛部を回避しつつ裾口まで延びるように形成されるように構成したので、簡易な構成でありながら、縫い代などが肌に接触することで生じる肌ストレスを低減させると共に、着用感を向上させることができる。また、例えば着座時や歩行時において生地との接触圧を多く受ける大腿部の前面や脛部に縫合線の縫い代が位置しないため、肌ストレスを一層低減させることができ、着用感を向上させることができる。
【００１５】
具体的には、左身頃と右身頃にはそれぞれ左前身頃または右前身頃を穿き口から膝部を回避しつつ裾口まで延びる第１縫合線しか存在しないので、内股部や脚脇部のみならず、歩行時や着座時などに生地との接触圧を多く受ける膝部にも縫合線の縫い代が接触しないため、肌ストレスを大幅に低減させることができ、着用感を向上させることができる。
【００２１】
請求項２に係る下衣にあっては、左前身頃と右前身頃に前開きを設けるように構成したので、上記した効果に加え、前開きを設けたことにより男性用下衣にも適用することができる。
【図面の簡単な説明】
【００２２】
【図１】この発明の第１実施例に係る下衣の正面図および背面図である。
【図２】図１に示す下衣の左身頃と右身頃の裁断形状（生地片）を表側からみた平面図である。
【図３】図２に示す左身頃と右身頃がそれぞれ縫合された状態を示す側面図および斜視図である。
【図４】図１に示す下衣を真上からみた上面図である。
【図５】図１に示す下衣を着用者が着用した状態を説明する説明図である。
【図６】この発明の第２実施例に係る下衣の背面図である。
【図７】図６に示す下衣の左身頃の裁断形状（生地片）を表側からみた平面図である。
【図８】図６に示す下衣の右身頃の裁断形状（生地片）を表側からみた平面図である。
【図９】図７，８に示す左身頃と右身頃がそれぞれ縫合された状態を示す側面図および斜視図である。
【図１０】図６に示す下衣を真上からみた上面図である。
【図１１】この発明の第３実施例に係る下衣の正面図と背面図である。
【図１２】図１１に示す下衣の左身頃と右身頃の一部の裁断形状（生地片）を表側からみた平面図である。
【図１３】図１１に示す下衣の前開きを裏側からみた拡大正面図である。
【図１４】図１１に示す下衣を真上からみた上面図である。
【発明を実施するための形態】
【００２３】
以下、添付図面に即してこの発明に係る下衣の実施の形態について説明する。
【実施例１】
【００２４】
図１はこの発明の第１実施例に係る下衣の正面図および背面図であり、（ａ）が正面図、（ｂ）が背面図である。尚、この明細書において、上下、左右、前後などの記載は着用者にとっての上下、左右、前後を意味し、表とは着用された下衣において露出される側または人体に接触しない側を、裏とは被覆される側または人体に接触する側を意味する。
【００２５】
図１において、符号Ｐ１はズボン（下衣（上下揃いのパジャマのズボンやステテコ等の寝巻類、肌着、ボトムスまたはパンツ等））を示す。ズボンＰ１は左身頃Ｌ１と右身頃Ｒ１を備えると共に、左身頃Ｌ１と右身頃Ｒ１の上端には穿き口Ｗが形成される。
【００２６】
左身頃Ｌ１は股ぐり線ＭＧＬの左側に位置する生地片すべてを意味し、着用者の左足が挿入可能なように筒状に構成される。また、左身頃Ｌ１は左脚脇線ＬＷＧと左内股線ＬＵＧから前の面（生地片）、即ち、左身頃Ｌ１の前半分を構成する左前身頃Ｌ１Ｆと、左脚脇線ＬＷＧと左内股線ＬＵＧから後ろの面、即ち、左身頃Ｌ１の後ろ半分を構成する左後身頃Ｌ１Ｂとからなる。
【００２７】
右身頃Ｒ１は股ぐり線ＭＧＬの右側に位置する生地片すべてを意味し、着用者の右足が挿入可能なように筒状に構成される。また、右身頃Ｒ１は右脚脇線ＲＷＧと右内股線ＲＵＧから前の面、即ち、右身頃Ｒ１の前半分を構成する右前身頃Ｒ１Ｆと、右脚脇線ＲＷＧと右内股線ＲＵＧから後ろの面、即ち、右身頃Ｒ１の後ろ半分を構成する右後身頃Ｒ１Ｂとからなる。
【００２８】
左身頃Ｌ１の左裾口ＬＨと右身頃Ｒ１の右裾口ＲＨには生地片の先端側が内側に折り返されて左裾ステッチ始末ＬＨＳと右裾ステッチ始末ＲＨＳが施される。
【００２９】
穿き口Ｗは左身頃Ｌ１と右身頃Ｒ１の上端によって形成される開口部であるが、具体的には上端の生地を内側に折り返して縫合し（ウエストステッチＷＳ）、それによってウエスト回りに形成された環状の内部空間にゴム（平ゴムまたは丸ゴム）を挿通することで形成される。よって穿き口Ｗは着用者の腰部をゴムによって係止可能となる。尚、穿き口Ｗを伸縮性ニット生地により構成されたいわゆるリブウエストとしてもよく、また、直接平ゴムを縫着するようにしてもよい。
【００３０】
図２はズボンＰ１の左身頃Ｌ１と右身頃Ｒ１の裁断形状（生地片）を表側からみた平面図であり、（ａ）が左身頃Ｌ１の裁断形状、（ｂ）が右身頃Ｒ１の裁断形状である。また、図３は左身頃Ｌ１と右身頃Ｒ１がそれぞれ縫合された状態を示す側面図および斜視図であり、（ａ）が右身頃Ｒ１の側面図、（ｂ）が右身頃Ｒ１の斜視図、（ｃ）が左身頃Ｌ１の斜視図である。
【００３１】
図２に示すように、左身頃Ｌ１と右身頃Ｒ１はそれぞれ１枚の生地片からなると共に、左右対称形状に裁断される。
【００３２】
左身頃Ｌ１は図２（ａ）に示すように、後に穿き口Ｗの一部となる上端縁１０−１１−１２，１−２０と、後に股ぐり（股ぐり線ＭＧＬ）となる端縁１２−１３−１８−１９−２０と、後に左身頃Ｌ１の縫合線となる側端縁１−２−３−４，１０−９−８−７と、後に左裾口ＬＨとなる下端縁４−５−６−７とで画定された１枚の生地片からなる。
【００３３】
右身頃Ｒ１は上記した左身頃Ｌ１の説明がほぼ妥当するので、同一符号にダッシュ（’）を付して説明する。右身頃Ｒ１は図２（ｂ）に示すように、後に穿き口Ｗの一部となる上端縁１０’−１１’−１２’，１’−２０’と、後に股ぐりとなる端縁１２’−１３’−１８’−１９’−２０’と、後に右身頃Ｒ１の縫合線となる側端縁１’−２’−３’−４’，１０’−９’−８’−７’と、後に右裾口ＲＨとなる下端縁４’−５’−６’−７’とで画定された１枚の生地片からなる。
【００３４】
図３（ａ）から（ｃ）に示すように（但し、図３（ａ）は右身頃Ｒ１のみ示す）、左身頃Ｌ１を構成する生地片の側端縁１−２−３−４と側端縁１０−９−８−７を縫合すると左身頃Ｌ１が完成し、右身頃Ｒ１を構成する生地片の側端縁１’−２’−３’−４’と側端縁１０’−９’−８’−７’を縫合すると右身頃Ｒ１が完成する。
【００３５】
尚、この実施例では側端縁１−２−３−４と側端縁１０−９−８−７の縫合線を第１左縫合線（第１縫合線）ＬＦＬといい、側端縁１’−２’−３’−４’と側端縁１０’−９’−８’−７’の縫合線を第１右縫合線（第１縫合線）ＲＦＬという。
【００３６】
以上のようにして完成した左身頃Ｌ１と右身頃Ｒ１を端縁１２−１３−１８−１９−２０と端縁１２’−１３’−１８’−１９’−２０’で縫合し、上記した穿き口ＷにおけるウエストステッチＷＳ始末、左裾口ＬＨ、右裾口ＲＨにおける左裾ステッチ始末ＬＨＳ、右裾ステッチ始末ＲＨＳを施すことにより、ズボンＰ１が完成する。また、端縁１２−１３−１８−１９−２０と端縁１２’−１３’−１８’−１９’−２０’の縫合部は股ぐりとなる。
【００３７】
図４は完成したズボンＰ１を真上からみた上面図である。図４に示すように、ズボンＰ１は左身頃Ｌ１と右身頃Ｒ１の間にある股ぐり線ＭＧＬ（端縁１２−１３−１８−１９−２０と端縁１２’−１３’−１８’ −１９’−２０’の縫合線）と、左前身頃Ｌ１Ｆと右前身頃Ｒ１Ｆにある第１左縫合線ＬＦＬ（端縁１−２−３−４と端縁１０−９−８−７の縫合線）と第１右縫合線ＲＦＬ（端縁１’−２’−３’−４’と端縁１０’−９’−８’−７’の縫合線）の３本の縫合線のみで構成される。
【００３８】
図５はズボンＰ１を着用者が着用した状態を説明する説明図であり、（ａ）はズボンＰ１の正面図、（ｂ）は側面図である。
【００３９】
図５に示すように、第１左縫合線ＬＦＬと第１右縫合線ＲＦＬはそれぞれ左前身頃Ｌ１Ｆまたは右前身頃Ｒ１Ｆを穿き口Ｗから左裾口ＬＨまたは右裾口ＲＨまで延びるが、具体的には次のようになる。
【００４０】
第１左縫合線ＬＦＬ、第１右縫合線ＲＦＬとも穿き口Ｗから左腿回り線ＬＭＬまたは右腿回り線ＲＭＬまではほぼ直線状に延び（より正確には股ぐり線ＭＧＬに対して若干外側（左右の脚脇線ＬＷＧ，ＲＷＧ側）に膨らみ）、そこから下、即ち、左腿回り線ＬＭＬまたは右腿回り線ＲＭＬから左裾口ＬＨまたは右裾口ＲＨまではそれぞれ左内股線ＬＵＧまたは右内股線ＲＵＧ方向に傾斜するように延びる。その際、第１左縫合線ＬＦＬと第１右縫合線ＲＦＬは着用者の大腿部前面、膝部（膝頭。左膝部ＬＫ、右膝部ＲＫ）および脛部の内側（内股側）を通って、大腿部前面、膝部（膝頭）ＬＫ，ＲＫおよび脛部を回避するように左裾口ＬＨまたは右裾口ＲＨまで延びる。
【００４１】
大腿部前面と膝部ＬＫ，ＲＫは着用者が着座するときに生地との接触圧が増加する（膝部ＬＫ，ＲＫについては着座時のみならず歩行時などにおいても生地との接触圧が増加する）。このため、ズボンＰ１の大腿部前面や膝部ＬＫ，ＲＫに接触する部位には縫合線が存在しないことが望ましい。そこで、上記の通り第１左縫合線ＬＦＬと第１右縫合線ＲＦＬを大腿部前面と膝部ＬＫ，ＲＫを避けるように位置させ、これにより大腿部前面や膝部ＬＫ，ＲＫに対する肌ストレスを生じさせないようにした。
【００４２】
このように、左身頃Ｌ１と右身頃Ｒ１はそれぞれ１枚の生地片を第１左縫合線ＬＦＬまたは第１右縫合線ＲＦＬで縫合して構成されるものであるため、左身頃Ｌ１と右身頃Ｒ１にはそれぞれ縫合線が股ぐり線ＭＧＬを除いて第１左縫合線ＬＦＬまたは第１右縫合線ＲＦＬしか存在しない。しかも、第１左縫合線ＬＦＬと第１右縫合線ＲＦＬは穿き口Ｗから大腿部前面、膝部ＬＫ，ＲＫ、脛部を回避するように左裾口ＬＨまたは右裾口ＲＨまで延びるため、一般的なズボンのように内股側と脚脇側に縫合線を有することによる着用者の内股部や脚脇部における肌ストレスはもちろんのこと、その他に肌ストレスを受けやすい大腿部前面、膝部ＬＫ，ＲＫ、脛部においても肌ストレスが生じることがない。
【００４３】
尚、実施例では左身頃Ｌ１と右身頃Ｒ１の生地片を図２（ａ）（ｂ）のように裁断し、やや形状の異なる側端縁１−２−３−４と側端縁１０−９−８−７および側端縁１’−２’−３’−４’と側端縁１０’−９’−８’−７’を位置合わせしながら縫合することで第１左縫合線ＬＦＬと第１右縫合線ＲＦＬが形成されるようにしているが、第１左縫合線ＬＦＬと第１右縫合線ＲＦＬは図５（ａ）などに示すように、左腿回り線ＬＭＬまたは右腿回り線ＲＭＬから左膝回り線ＬＫＬまたは右膝回り線ＲＫＬにかけて大腿部前面と膝部ＬＫ，ＲＫを回避するように曲線を描きながら内股側に傾斜し、左膝回り線ＬＫＬまたは右膝回り線ＲＫＬから下は脛部の内側をほぼ直線状にやや内股側に傾斜しながら左裾口ＬＨまたは右裾口ＲＨまで延びるようになる。但し、第１左縫合線ＬＦＬと第１右縫合線ＲＦＬは大腿部前面や膝部ＬＫ，ＲＫなどを回避できればよいので、縫合線そのものの形状は実施例のものに限定されるものではない。
【００４４】
図２の説明に戻ると、図中、左前身頃Ｌ１Ｆと右前身頃Ｒ１Ｆに位置し、曲線で囲まれて中が細かい格子状となっている範囲（以下「内股接触範囲」という）ＬＵＳ，ＲＵＳは着用時に着用者の内股部分が接触しやすい範囲を示したものであり、着用者の股間直下に対応する位置１８付近から左内股線ＬＵＧと右内股線ＲＵＧを通って左膝回り線ＬＫＬと右膝回り線ＲＫＬ付近にまで拡がる。ズボンＰ１では、上記したように内股接触範囲ＬＵＳ，ＲＵＳに縫合線は存在しないため、着用者の内股と内股接触範囲ＬＵＳ，ＲＵＳの生地が接触したとしても内股部分に肌ストレスは生じない。
【００４５】
また、左後身頃Ｌ１Ｂと右後身頃Ｒ１Ｂに位置し、半円と直線で囲まれて格子状または斜線状となっている範囲（以下「座位時接触範囲」という）ＬＳＳ，ＲＳＳは着用者が座位したときに接触圧力を強く受ける部分であり、着用者の臀部突出部ＬＨＰ，ＲＨＰから大腿部裏側にかけて拡がる。しかし、ズボンＰ１では座位時接触範囲ＬＳＳ，ＲＳＳにも縫合線は存在しないため、着座時に臀部や大腿部裏側が生地に強く接触したとしても臀部や大腿部裏側に肌ストレスは生じない。
【００４６】
このように、ズボンＰ１は肌ストレスを受けやすい部位に縫合線を一切有しないため、縫合線の縫い代が肌に接触することで生じる肌ストレスを大幅に低減できると共に、着用感を向上させることができる。
【００４７】
以上のように、第１実施例にあっては、左前身頃Ｌ１Ｆと左後身頃Ｌ１Ｂからなる左身頃Ｌ１と、右前身頃Ｒ１Ｆと右後身頃Ｒ１Ｂからなる右身頃Ｒ１とを備え、前記左身頃と右身頃の上端に着用者の左足と右足を挿入可能な穿き口Ｗが形成される下衣（ズボン）Ｐ１において、前記左身頃と右身頃はそれぞれ、前記左前身頃または右前身頃に位置し、前記穿き口から膝部（左膝部、右膝部）ＬＫ，ＲＫを回避しつつ裾口（左裾口、右裾口）ＬＨ，ＲＨまで延びる第１縫合線（第１左縫合線、第１右縫合線）ＬＦＬ，ＲＦＬによって縫合される１枚の生地片からなると共に、前記第１縫合線は、前記穿き口から延びて左腿回り線ＬＭＬまたは右腿回り線ＲＭＬを通過した後、内股側に傾斜しながら大腿部の前面と脛部を回避しつつ前記裾口まで延びるように形成されるように構成したので、簡易な構成でありながら、縫い代などが肌に接触することで生じる肌ストレスを低減させると共に、着用感を向上させることができる。また、例えば着座時や歩行時において生地との接触圧を多く受ける大腿部の前面や脛部に縫合線の縫い代が位置しないため、肌ストレスを一層低減させることができ、着用感を向上させることができる。
【００４８】
具体的には、左身頃Ｌ１と右身頃Ｒ１にはそれぞれ左前身頃Ｌ１Ｆまたは右前身頃Ｒ１Ｆを穿き口Ｗから膝部ＬＫ，ＲＫを回避しつつ裾口ＬＨ，ＲＨまで延びる第１縫合線ＬＦＬ，ＲＦＬしか存在しないので、内股部（内股接触範囲ＬＵＳ，ＲＵＳ）や脚脇部（左脚脇線ＬＷＧ、右脚脇線ＲＷＧおよびその周辺）のみならず、歩行時や着座時などに生地との接触圧を多く受ける膝部ＬＫ，ＲＫにも縫合線の縫い代が接触しないため、肌ストレスを大幅に低減させることができ、着用感を向上させることができる。
【実施例２】
【００５０】
次いで、この発明の第２実施例に係るズボンＰ２について説明する。
【００５１】
図６はこの発明の第２実施例に係るズボンＰ２の背面図であり、（ａ）は通常の背面図、（ｂ）は着用者が着用した状態を説明するための背面図である。
【００５２】
第２実施例に係るズボンＰ２は左身頃Ｌ２と右身頃Ｒ２がそれぞれ２枚の生地片からなる点で第１実施例に係るズボンＰ１と相違する。以下、第２実施例について、第１実施例と相違する部分に焦点をおいて説明し、第１実施例と共通する部分については同一の符号を付して説明を省略する。
【００５３】
図６（ａ）（ｂ）に示すように、ズボンＰ２には左後身頃Ｌ２Ｂまたは右後身頃Ｒ２Ｂを臀部付近（後述する第２左縫合線と第２右縫合線の交差点ＣＲＰ）から左裾口ＬＨまたは右裾口ＲＨまで延びる第２左縫合線ＬＢＬと第２右縫合線ＲＢＬが形成される。
【００５４】
尚、図示はしないが、ズボンＰ２にもズボンＰ１と同様、左前身頃Ｌ２Ｆまたは右前身頃Ｒ２Ｆに、穿き口Ｗから膝部ＬＫ，ＲＫを回避しつつ裾口ＬＨ，ＲＨまで延びる第１右縫合線ＬＦＬと第１左縫合線ＲＦＬが形成される。
【００５５】
図７はズボンＰ２の左身頃Ｌ２の裁断形状（生地片）を表側からみた平面図であり、（ａ）は左脇布、（ｂ）は左腹当て内股布を表側からみた平面図である。また、図８はズボンＰ２の右身頃Ｒ２の裁断形状（生地片）を表側からみた平面図であり、（ａ）は右脇布、（ｂ）は右腹当て内股布を表側からみた平面図である。
【００５６】
図７および図８に示すように、左身頃Ｌ２と右身頃Ｒ２はそれぞれ２枚の生地片からなると共に、左右対称形状に裁断される。
【００５７】
左身頃Ｌ２の生地片は図２（ａ）に示す左身頃Ｌ１の生地片を破線１３−５で切断したものと同じであり、図７（ａ）に示す左脇布ＬＷと、図７（ｂ）に示す左腹当て内股布ＬＨＵとからなる。
【００５８】
左脇布ＬＷは後に穿き口Ｗの一部となる上端縁１０−１１−１２と、後に股ぐり（股ぐり線ＭＧＬ）の一部（後股ぐり）となる端縁１２−１４と、後に左腹当て内股布ＬＨＵと縫合されて左身頃Ｌ２の縫合線となる側端縁１０−９−８−７，１４−１５−１６と、後に左裾口ＬＨの一部となる下端縁７−６−１６とで画定された生地片である。
【００５９】
また、左腹当て内股布ＬＨＵは後に穿き口Ｗの一部となる上端縁１−２０と、後に股ぐり（股ぐり線ＭＧＬ）のうちの一部（前股ぐり）となる端縁１３−１８−１９−２０と、後に左脇布ＬＷと縫合されて左身頃Ｌ２の縫合線となる側端縁１−２−３−４，１３−１７−５と、後に左裾口ＬＨの一部となる下端縁４−５とで画定された生地片である。
【００６０】
右身頃Ｒ２は上記した左身頃Ｌ２の説明がほぼ妥当するので、同一符号にダッシュ（’）を付して説明する。右身頃Ｒ２の生地片は図２（ｂ）に示す右身頃Ｒ１の生地片を破線１３’−５’で切断したものと同じであり、図８（ａ）に示す右腹当て内股布ＲＨＵと、図８（ｂ）に示す右脇布ＲＷとからなる。
【００６１】
右腹当て内股布ＲＨＵは後に穿き口Ｗの一部となる上端縁１’−２０’と、後に股ぐり（股ぐり線ＭＧＬ）のうちの一部（前股ぐり）となる端縁１３’−１８’−１９’−２０’と、後に右脇布ＲＷと縫合されて右身頃Ｒ２の縫合線となる側端縁１’−２’−３’−４’，１３’−１７’−５’と、後に右裾口ＲＨの一部となる下端縁４’−５’とで画定された生地片である。
【００６２】
また、右脇布ＲＷは後に穿き口Ｗの一部となる上端縁１０’−１１’−１２’と、後に股ぐり（股ぐり線ＭＧＬ）の一部（後股ぐり）となる端縁１２’−１４’と、後に右腹当て内股布ＲＨＵと縫合されて右身頃Ｒ２の縫合線となる側端縁１０’−９’−８’−７’，１４’−１５’−１６’と、後に右裾口ＲＨの一部となる下端縁７’−６’−１６’とで画定された生地片である。
【００６３】
図９は左身頃Ｌ２と右身頃Ｒ２がそれぞれ縫合された状態を示す側面図および斜視図であり、（ａ）が右身頃Ｒ２の側面図、（ｂ）が左身頃Ｌ２を後方からみた斜視図、（ｃ）が右身頃Ｒ２を後方からみた斜視図である。また、図１０はズボンＰ２を真上からみた上面図である。
【００６４】
図９（ａ）から（ｃ）に示すように（但し、図９（ａ）は右身頃Ｒ２のみ示す）、左身頃Ｌ２を構成する左腹当て内股布ＬＨＵと左脇布ＬＷを側端縁１３−１７−５と側端縁１４−１５−１６、さらには側端縁１−（２）−（３）−４と側端縁１０−（９）−（８）−７でそれぞれ縫合すると左身頃Ｌ２が完成し、右身頃Ｒ２を構成する右腹当て内股布ＲＨＵと右脇布ＲＷを側端縁１３’−１７’−５’と側端縁１４’−１５’−１６’、さらには側端縁１’−２’−３’−４’と側端縁１０’−９’−８’−７’でそれぞれ縫合すると右身頃Ｒ２が完成する。
【００６５】
尚、この実施例では第１実施例の場合と同様に側端縁１−２−３−４と側端縁１０−９−８−７で縫合された縫合線を第１左縫合線（第１縫合線）ＬＦＬといい、側端縁１’−２’−３’−４’と側端縁１０’−９’−８’−７’で縫合された縫合線を第１右縫合線（第１縫合線）ＲＦＬという。また、側端縁１３−１７−５と側端縁１４−１５−１６で縫合された縫合線を第２左縫合線（第２縫合線）ＬＢＬといい、側端縁１３’−１７’−１５’と側端縁１４’−１５’−１６’で縫合された縫合線を第２右縫合線（第２縫合線）ＲＢＬという。
【００６６】
以上のようにして完成した左身頃Ｌ２と右身頃Ｒ２を端縁１２−１３−１８−１９−２０と端縁１２’−１３’−１８’−１９’−２０’で縫合し、ズボンＰ１と同様、穿き口ＷにおけるウエストステッチＷＳ始末、左裾口ＬＨ、右裾口ＲＨにおける左裾ステッチ始末ＬＨＳ、右裾ステッチ始末ＲＨＳを施すことにより、ズボンＰ２が完成する。また、端縁１２−１３−１８−１９−２０と端縁１２’−１３’−１８’−１９’−２０’の縫合部は股ぐりとなる。
【００６７】
図１０に示すように、ズボンＰ２は左身頃Ｌ２と右身頃Ｒ２の間にある股ぐり線ＭＧＬ（端縁１２−１３−１８−１９−２０と端縁１２’−１３’−１８’−１９’−２０’の縫合線）、左前身頃Ｌ２Ｆと右前身頃Ｒ２Ｆにある第１左縫合線ＬＦＬ（端縁１−２−３−４と端縁１０−９−８−７の縫合線）と第１右縫合線ＲＦＬ（端縁１’−２’−３’−４’と端縁１０’−９’−８’−７’の縫合線）、左後身頃Ｌ２Ｂと右後身頃Ｒ２Ｂにある第２左縫合線ＬＢＬ（端縁５−（１７）−１３と端縁１６−（１５）−１４の縫合線）と第２右縫合線ＲＢＬ（端縁５’−（１７’）−１３’と端縁１６’−（１５’）−１４’の縫合線）の５本の縫合線で構成される。
【００６８】
図６の説明に戻ると、図６（ｂ）に示すように、第２左縫合線ＬＢＬと第２右縫合線ＲＢＬは着用者の臀部突出部ＬＨＰ，ＲＨＰから大腿部裏面が接触する部位（座位時接触範囲（図７，８参照））ＬＳＳ，ＲＳＳ、および膝裏や脹脛が接触する部位よりも内側（内股側）に位置し、第２縫合線ＬＢＬ，ＲＢＬの交差点ＣＲＰから左裾口ＬＨまたは右裾口ＲＨにかけてほぼ直線状に延びる。
【００６９】
座位時接触範囲ＬＳＳ，ＲＳＳは着用者が座位したとき、接触圧力を強く受ける部分であるため、この部分（ＬＳＳ，ＲＳＳ）に縫合線があると肌ストレスを受けやすくなる。しかし、第２左縫合線ＬＢＬと第２右縫合線ＲＢＬは座位時接触範囲ＬＳＳ，ＲＳＳを回避するように延びているため、臀部や大腿部裏面に肌ストレスを受けることがない。
【００７０】
また、歩行時などには膝裏や脹脛と生地との接触が増えるが、第２左縫合線ＬＢＬと第２右縫合線ＲＢＬは膝裏や脹脛も回避するように延びているため、膝裏や脹脛にも肌ストレスを受けることはない。
【００７１】
尚、パンツＰ２は図７，８に示すように、内腿接触範囲ＬＵＳ，ＲＵＳにも縫合線を有しないため、内股においても肌ストレスは生じない。
【００７２】
図１０の説明に戻ると、第２左縫合線ＬＢＬと第２右縫合線ＲＢＬは股間直下位置１８，１８’よりも後方（臀部側）の交差点ＣＲＰで交差させられる。しかし、交差点ＣＲＰは股間直下位置１８よりも後方に位置するため、例えば着座時などに臀部の突出部ＬＨＰ，ＲＨＰや股間直下位置１８に接触することはなく、これらの部位における肌ストレスを生じさせることはない。
【００７３】
パンツＰ２にも上記の通り、パンツＰ１と同様、第１左縫合線ＬＦＬ、第１右縫合線ＲＦＬが存在するが、その構成および効果はパンツＰ１のものと同様であるため、説明は省略する。
【００７４】
このように、ズボンＰ２は第１左縫合線ＬＦＬ、第１右縫合線ＲＦＬの他、第２左縫合線ＬＢＬ、第２右縫合線ＲＢＬを有するものの、肌ストレスを受けやすい部位には縫合線を有しないため、縫合線の縫い代が肌に接触することで生じる肌ストレスを大幅に低減できると共に、着用感を向上させることができる。
【００７５】
また、左身頃Ｌ２および右身頃Ｒ２の生地片をそれぞれ２つにすることで、２つの生地片をそれぞれ異なる素材にすることができるため、例えば部分的に通気性、保温性、柔軟性、保湿性、制菌性の機能を付加することができる。特に、分割された２つの生地片のうち、１つ（左腹当て内股布ＬＨＵ、右腹当て内股布ＲＨＵ）は内股側に位置するため、内股側に位置する生地片を肌に優しい素材とすることで肌ストレスを一層抑制して装着感をより向上させることができる。
【００７６】
また、異なる素材の生地を組み合わせるだけでなく、２つの生地片の生地の方向を変えて縫合することによって見た目の柄に変化を持たせることができ、デザイン性を向上させることもできる。
【００７７】
以上のように、第２実施例にあっては、左前身頃Ｌ２Ｆと左後身頃Ｌ２Ｂからなる左身頃Ｌ２と、右前身頃Ｒ２Ｆと右後身頃Ｒ２Ｂからなる右身頃Ｒ２とを備え、前記左身頃と右身頃の上端に着用者の左足と右足を挿入可能な穿き口Ｗが形成される下衣（ズボン）Ｐ２において、前記左身頃と右身頃はそれぞれ、前記左前身頃または右前身頃に位置し、前記穿き口から膝部（左膝部、右膝部）ＬＫ，ＲＫを回避しつつ裾口（左裾口、右裾口）ＬＨ，ＲＨまで延びる第１縫合線（第１左縫合線、第１右縫合線）ＬＦＬ，ＲＦＬと、前記左後身頃または右後身頃に位置し、臀部付近から前記裾口まで延びる第２縫合線（第２左縫合線、第２右縫合線）ＬＢＬ，ＲＢＬとによって縫合される２枚の生地片からなるように構成したので、簡易な構成でありながら、縫い代などが肌に接触することで生じる肌ストレスを低減させると共に、着用感を向上させることができる。
【００７８】
具体的には、左身頃Ｌ２と右身頃Ｒ２にはそれぞれ２本の縫合線（第１、第２縫合線）ＬＦＬ，ＲＦＬ，ＬＢＬ，ＲＢＬが存在するが、第１縫合線ＬＦＬ，ＲＦＬは左前身頃Ｌ２Ｆまたは右前身頃Ｒ２Ｆを穿き口Ｗから膝部ＬＫ，ＲＫを回避しつつ裾口ＬＨ，ＲＨまで延びると共に、第２縫合線ＬＢＬ，ＲＢＬは左後身頃Ｌ２Ｂまたは右後身頃Ｒ２Ｂを臀部付近から裾口ＬＨ，ＲＨまで延びるように形成されるため、肌ストレスを受けやすい内股部、脚脇部、膝部ＬＫ，ＲＫには縫合線の縫い代が位置せず、肌ストレスを大幅に低減させることができ、着用感を向上させることができる。
【００７９】
また、前記第１縫合線は前記穿き口から大腿部の前面を回避しつつ前記裾口まで延びるように形成されるように構成したので、例えば着座時において生地との接触圧を多く受ける大腿部の前面に接触する部位に縫合線の縫い代が位置しないため、肌ストレスを一層低減させることができ、着用感を向上させることができる。
【００８０】
また、前記第２縫合線は前記臀部付近から前記大腿部と前記膝部の裏面を回避しつつ前記裾口まで延びるように形成されるように構成したので、例えば着座時において生地との接触圧を多く受ける大腿部の裏面（座位時接触範囲ＬＳＳ，ＲＳＳのうち、大腿部裏面に対応する部位）や膝部ＬＫ，ＲＫの裏面に接触する部位に縫合線の縫い代が位置しないため、肌ストレスを一層低減させることができ、着用感を向上させることができる。
【００８１】
また、前記左身頃の第２縫合線と前記右身頃の第２縫合線は股間部よりも後方の位置（交差点ＣＲＰ）で交差させられるように構成したので、例えば着座時において生地との接触圧を多く受ける股間に接触する部位に第２縫合線の交差点ＣＲＰが位置しないため、肌ストレスをより一層低減させることができ、着用感を向上させることができる。
【００８２】
尚、残余の構成および効果は第１実施例と同様であるので、説明は省略する。
【実施例３】
【００８３】
次いで、この発明の第３実施例に係るズボンＰ３について説明する。
【００８４】
図１１はこの発明の第３実施例に係るズボンＰ３の正面図および背面図であり、（ａ）はズボンＰ３の正面図、（ｂ）は背面図である。
【００８５】
第３実施例に係るズボンＰ３は前身頃（左前身頃と右前身頃のほぼ中間位置）に前開きを設けた点でズボンＰ２と相違するが、その他の構成はズボンＰ２と同一である。従って、第２実施例と相違する部分に焦点をおいて説明し、第２実施例と共通する部分については同一の符号を付して説明を省略する。
【００８６】
図１１に示すように、ズボンＰ３は左前身頃Ｌ２Ｆと右前身頃Ｒ２Ｆとの縫合線（股ぐり線ＭＧＬ）の一部が開口するように形成されており、この開口部が前開きＭＡとして機能する。
【００８７】
前開きＭＡの上部は穿き口Ｗから前開きＭＡの上端部にかけてステッチＵＳＴが施され、上開き止めが形成され、前開きＭＡの下端部から股部にかけてもステッチＤＳＴが施され、下開き止めが形成される。即ち、ステッチによる縫い止めがなされない部位が開口部（前開きＭＡ）となる。このように、ズボンＰ３の前開きＭＡは縦や横への複数のステッチが存在せず、正面からみると非常にシンプルに構成される。
【００８８】
尚、図１１（ｂ）に示すように、ズボンＰ３を背面からみると前開きＭＡの下側のステッチＤＳＴは破線で示すように交差点ＣＲＰの下方に位置する。
【００８９】
図１２はズボンＰ３の左身頃Ｌ２と右身頃Ｒ２の一部の裁断形状（生地片）を表側からみた平面図であり、（ａ）は右腹当て内股布、（ｂ）は腹当て持ち出し、（ｃ）は左腹当て内股布をそれぞれ表側からみた平面図である。また、図１３はズボンＰ３の前開きを裏側からみた拡大正面図であり、図１４はズボンＰ３を真上からみた上面図である。
【００９０】
図１２（ａ）（ｃ）に示すように、左腹当て内股布ＬＨＵＭは股ぐりの一部を構成する端縁２０−１９に端縁２０−１９−３０−３１で画定される左前立てＬＨＭを加えた形状となっている。また、右腹当て内股布ＲＨＵＭは左腹当て内股布ＬＨＵＭと左右対称形状であって、端縁２０’−１９’−３０’−３１’で画定される右持ち出しＲＨＭを備える。
【００９１】
図１２（ｂ）に示すように、腹当て持ち出しＨＭは中心線３４−３７に対して左右対称形状であると共に、右腹当て内股布ＲＨＵＭの端縁３１’−３０’−１９’−３８’−１’−２０’−３１’で画定された部位と同形状である。よって、図１３に示すように、後に腹当て持ち出しＨＭと右腹当て内股布ＲＨＵＭの端縁３１’−３０’−１９’−３８’−１’−２０’−３１’で画定された部位とは重ね合わされて（腹当て持ち出しＨＭが裏側になる）縫合され、持ち出しが形成される。尚、左腹当て内股布ＬＨＵＭの端縁３１−３０−１９−３８−１−２０−３１で画定された部位は中心線１９−２０で裏側に折り返されて前立てが形成される。
【００９２】
図１３，１４に示すように、右腹当て内股布ＲＨＵＭの端縁１’−２０’−３１’と腹当て持ち出しＨＭの端縁３６−３７−３２、右腹当て内股布ＲＨＵＭの端縁１’−３８’と腹当て持ち出しＨＭの端縁３６−３５、右腹当て内股布ＲＨＵＭの端縁１９’−３０’と腹当て持ち出しＨＭの端縁３４−３３、および右腹当て内股布ＲＨＵＭの端縁３０’−３１’と腹当て持ち出しＨＭの端縁３３−３２がそれぞれ縫合される一方、右腹当て内股布ＲＨＵＭの端縁１９’−３８’と腹当て持ち出しＨＭの端縁３４−３５は縫合されない。尚、腹当て持ち出しＨＭの縁３４−３５は他の生地片とは縫合されない部位であるため、事前にほつれ防止のかがり縫いが施される。
【００９３】
また、中心線１９−２０で折り返された左腹当て内股布ＬＨＵＭの端縁２０−３１は右腹当て内股布ＲＨＵＭの端縁２０’−３１’や腹当て持ち出しＨＭの端縁３７−３２に縫合される。また、左腹当て内股布ＬＨＵＭの端縁１９−３８は右腹当て内股布ＲＨＵＭの端縁１９’−３０’や腹当て持ち出しＨＭの端縁３４−３３に縫合される。従って、左脇布ＬＷと縫合されない右腹当て内股布ＲＨＵＭの端縁３１’−３０’と腹当て持ち出しＨＭの端縁３２−３３は縫い代分を切り落とし、かがり縫いされて内側前開きＵＡとなる。
【００９４】
左腹当て内股布ＬＨＵＭの端縁１３−（１８）−１９−３０の上に、腹当て持ち出しＨＭを縫合して形成された右腹当て内股布ＲＨＵＭの端縁１３’−（１８’）−１９’−３０’を重ね、端縁１３，１３’−１９，１９’，３４−３０’，３３’−３０，３８を連続してかがり縫いし、１３，１３’−１９，１９’，３４まで下開き止めステッチＤＳＴを施して下開き止めが形成される。
【００９５】
また、左腹当て内股布ＬＨＵＭの部位２０、右腹当て内股布ＲＨＵＭの部位２０’、および腹当て持ち出しＨＭの部位３７から下方に所定長さ上開き止めステッチＵＳＴを施して、上開き止めが形成される。
【００９６】
以上のように構成することで上開き止めと下開き止めとの間には前開きＭＡが形成されるため、着用者は前開きＭＡと内側前開きＵＡに手（右手）を挿入することで、手をパンツＰ３の生地裏側に位置させることができ、男性局部を取り出すことができるようになる。
【００９７】
尚、前開きＭＡの長さは上開きステッチＵＳＴの長さで決定されるが、成人男性においては１３ｃｍから１５ｃｍ程度とされる。また、前開きＭＡには前立て部位に比翼布を加えてファスナーまたはボタン等の付属品を付けて前閉じ仕様としてもよい。また、ウエストは見返しやストレートベルト仕様としてもよい。
【００９８】
以上のように、第３実施例にあっては、前記左前身頃と右前身頃に前開きＭＡを設けるように構成したので、男性用下衣にも適用することができる。
【００９９】
尚、残余の構成および効果は第２実施例と同様であるので、説明は省略する。
【０１００】
以上の如く、この発明の第１実施例にあっては、左前身頃Ｌ１Ｆと左後身頃Ｌ１Ｂからなる左身頃Ｌ１と、右前身頃Ｒ１Ｆと右後身頃Ｒ１Ｂからなる右身頃Ｒ１とを備え、前記左身頃と右身頃の上端に着用者の左足と右足を挿入可能な穿き口Ｗが形成される下衣（ズボン）Ｐ１において、前記左身頃と右身頃はそれぞれ、前記左前身頃または右前身頃に位置し、前記穿き口から膝部（左膝部、右膝部）ＬＫ，ＲＫを回避しつつ裾口（左裾口、右裾口）ＬＨ，ＲＨまで延びる第１縫合線（第１左縫合線、第１右縫合線）ＬＦＬ，ＲＦＬによって縫合される１枚の生地片からなると共に、前記第１縫合線は、前記穿き口から延びて左腿回り線ＬＭＬまたは右腿回り線ＲＭＬを通過した後、内股側に傾斜しながら大腿部の前面と脛部を回避しつつ前記裾口まで延びるように形成されるように構成した。
【０１０１】
また、前記第１縫合線は前記穿き口から大腿部の前面を回避しつつ前記裾口まで延びるように形成されるように構成した。
【０１０６】
また、この発明の第３実施例にあっては、前記左前身頃と右前身頃に前開きＭＡを設けるように構成した。
【０１０７】
尚、ズボンＰ１，Ｐ２，Ｐ３は肌に対する刺激が比較的少ないニットや布帛などから製作されるが、素材はこれらに限定されるものではない。
【０１０８】
また、ズボンＰ１，Ｐ２，Ｐ３は長ズボンとして説明したが、丈の長さは特に限定されるものではなく、必ずしも長ズボンに限定されない。
【０１０９】
また、ズボンＰ１，Ｐ２，Ｐ３はパッチポケットや脇ポケット、ワッペンなどの装飾品が付加されたものであってもよい。
【０１１０】
また、ズボンＰ３では腹当て持ち出しＨＭを独立した生地片として構成しているが、腹当て持ち出しＨＭと左腹当て内股布ＬＨＵＭや右腹当て内股布ＲＨＵＭの生地の裏表に違いがなく同じ素材のものである場合には、腹当て持ち出しＨＭを独立した生地片とするのではなく、右持ち出しＲＨＭの端縁３０’−３１’と腹当て持ち出しＨＭの端縁３５−３６を一体的に連続形成するようにしてもよい。
【符号の説明】
【０１１１】
Ｐ１〜Ｐ３  ズボン（下衣）、Ｌ１，Ｌ２  左身頃、Ｒ１，Ｒ２  右身頃、Ｌ１Ｆ，Ｌ２Ｆ  左前身頃、Ｌ１Ｂ，Ｌ２Ｂ  左後身頃、Ｒ１Ｆ，Ｒ２Ｆ  右前身頃、Ｒ１Ｂ，Ｒ２Ｂ  右後身頃、Ｗ  穿き口、ＬＦＬ  第１左縫合線（第１縫合線）、ＲＦＬ  第１右縫合線（第１縫合線）、ＬＢＬ  第２左縫合線（第２縫合線）、ＲＢＬ  第２右縫合線（第２縫合線）、ＬＫ，ＲＫ  膝部、ＣＲＰ  交差点、ＭＡ  前開き
【要約】
【課題】簡易な構成でありながら、縫い代などが肌に接触することで生じる肌ストレスを低減させると共に、着用感を向上させるようにした下衣を提供する。
【解決手段】左前身頃Ｌ１Ｆと左後身頃Ｌ１Ｂからなる左身頃Ｌ１と、右前身頃Ｒ１Ｆと右後身頃Ｒ１Ｂからなる右身頃Ｒ１とを備え、前記左身頃と右身頃の上端に着用者の左足と右足を挿入可能な穿き口Ｗが形成される下衣（ズボン）Ｐ１において、前記左身頃と右身頃はそれぞれ、前記左前身頃または右前身頃を前記穿き口から膝部を回避しつつ裾口（左裾口、右裾口）ＬＨ，ＲＨまで延びる第１縫合線（第１左縫合線、第１右縫合線）ＬＦＬ，ＲＦＬで縫合される１枚の生地片からなるように構成した。
【選択図】図１【図１】
0005398930.tif 000002
【図２】
0005398930.tif 000003
【図３】
0005398930.tif 000004
【図４】
0005398930.tif 000005
【図５】
0005398930.tif 000006
【図６】
0005398930.tif 000007
【図７】
0005398930.tif 000008
【図８】
0005398930.tif 000009
【図９】
0005398930.tif 000010
【図１０】
0005398930.tif 000011
【図１１】
0005398930.tif 000012
【図１２】
0005398930.tif 000013
【図１３】
0005398930.tif 000014
【図１４】
0005398930.tif 000015